(57)【要約】      （修正有）【課題】ＬＥＤは、温度上昇に伴い光出力が低下し、寿命も短くなるので、放熱性効果の高い照明用ＬＥＤ電球を提供する。【解決手段】ガラス球体１及び口金１１によって一体的に封止されたＬＥＤ電球１００において、回路基板５、電気感応作動媒体収納筺体４、ファン取付け枠３及びＬＥＤチップ保持筺体２とが、ガラス球体１内に封止された構成からなり、電気感応作動媒体収納筺体４内の電気感応作動媒体に電圧を印加し、電気感応作動媒体の回転に伴い回転体及び回転軸が回転し、回転軸に連結したファンが回転してガラス球体１内の高温で滞留した空気を対流させながら、ガラス球体１の下方に取付けた放熱フィン６を介して放熱効率を向上させるように構成する。【選択図】図１
2012038695.tif 000002
【特許請求の範囲】
【請求項１】
ガラス球体及び口金によって一体的に封止されたＬＥＤ電球において、筺体支持部材によって、順次積層状態に支持された回路基板、電気感応作動媒体収納筺体、ファン取付け枠及びＬＥＤチップ保持筺体とが、ガラス球体内に封止された構成からなることを特徴とする放熱効果の高い照明用ＬＥＤ電球。
【請求項２】
電気感応作動媒体収納筺体内の電気感応作動媒体に電圧を印加し、電気感応作動媒体の回転に伴い回転体及び回転軸が回転し、回転軸に連結したファンが回転してガラス球体内の高温で滞留した空気を対流させながら、ガラス球体の下方に取付けた放熱フィンを介して放熱効率を向上させるように構成したことを特徴とする請求項１記載の放熱効果の高い照明用ＬＥＤ電球。
【請求項３】
ＬＥＤチップ保持筺体内側の放熱フィン兼用ＬＥＤチップ保持体がＬＥＤチップを保持しており、放熱フィン兼用ＬＥＤチップ保持体の間隙を通して通気性が良く、ファン取付け枠も通気性が良く形成されていることを特徴とする請求項１記載の放熱効果の高い照明用ＬＥＤ電球。
【発明の詳細な説明】
【技術分野】
【０００１】  本発明は、ＬＥＤ電球に関し、特に放熱効果の高い照明用ＬＥＤ電球に関する。
【背景技術】
【０００２】  近年、一般家庭でも白熱電球や電球タイプの蛍光ランプが使用されていたが、これに替わり、発光ダイオードを光源とするＬＥＤ電球が普及してきており、例えば下記のような特開２００９−１７０１１４号や特開２０１０−５６０５９号が開発されている。
【先行技術文献】
【特許文献】
【０００３】
【特許文献１】  特開２００９−１７０１１４号公報
【特許文献２】  特開２０１０−５６０５９号公報
【発明の概要】
【発明が解決しようとする課題】
【０００４】  前記せる特開２００９−１７０１１４号公報及び特開２０１０−５６０５９号公報ではいずれもグローブの下方外側に複数の放熱フィンのみを設けて放熱している。【０００５】  ＬＥＤは、温度上昇に伴い光出力が低下し、寿命も短くなるので、ＬＥＤの温度上昇を抑制することが重要課題である。【０００６】しかしながら、前記せるような従来例の場合は、グローブ内で上昇した温度がＬＥＤチップ１０の近傍で滞留してしまい、このような状態で放熱フィンの放熱効果みでＬＥＤの温度上昇を抑制するには不十分であって、さらなるＬＥＤの放熱性を向上することが望まれている。
【課題を解決するための手段】
【０００７】  本発明の放熱効果の高い照明用ＬＥＤ電球では、以下に示すような構成でＬＥＤの温度上昇を抑制するものである。【０００８】  ガラス球体及び口金によって一体的に封止されたＬＥＤ電球において、筺体支持部材によって、順次積層状態に支持された回路基板、電気感応作動媒体収納筺体、ファン取付け枠及びＬＥＤチップ保持筺体とが、ガラス球体内に封止された構成からなることを特徴とし、電気感応作動媒体収納筺体内の電気感応作動媒体に電圧を印加し、電気感応作動媒体の回転に伴い回転体及び回転軸が回転し、回転軸に連結したファンが回転してガラス球体内の高温で滞留した空気を対流させながら、ガラス球体の下方に取付けた放熱フィンを介して放熱効率を向上させるように構成したことを特徴とし、且つ、ＬＥＤチップ保持筺体内側の放熱フィン兼用ＬＥＤチップ保持体がＬＥＤチップを保持しており、放熱フィン兼用ＬＥＤチップ保持体の間隙を通して通気性が良く、ファン取付け枠も通気性が良く形成されていることを特徴とする放熱効果の高い照明用ＬＥＤ電球を提供する。
【発明の効果】
【０００９】  本発明は以上のような構成であるので、ガラス球体内で高温となった気体が滞留することなく、対流しているので、放熱フィンからの放熱効率がよく従来と比較して優れた放熱効果を有する照明用ＬＥＤ電球を提供できるものである。
【図面の簡単な説明】
【００１０】
【図１】  本発明の放熱効果の高い照明用ＬＥＤ電球の斜視図である。
【図２】  本発明の放熱効果の高い照明用ＬＥＤ電球の要部分解断面図である。
【発明を実施するための形態】
【００１１】  以下、図面に基づいて本発明の放熱効果の高い照明用ＬＥＤ電球について説明する。
図面において、図１は本発明に係る放熱効果の高い照明用ＬＥＤ電球の斜視図であり、図２は本発明の放熱効果の高い照明用ＬＥＤ電球の要部分解断面図である。
【００１２】  ガラス球体１及び口金１１によって一体的に封止された照明用ＬＥＤ電球１００において、筺体支持部材７によって、回路基板５、電気感応作動媒体収納筺体４、ファン取付け枠３及びＬＥＤチップ保持筺体２とが順次積層状態に支持され、ガラス球体１内に封止されている。
【００１３】  電気感応作動媒体収納筺体４内の電気感応作動媒体４０に電圧を印加し、電気感応作動媒体４０が回転を始める。次いでこの回転に伴い回転体４２，及び回転軸４３が回転し、回転軸４３に連結したファン３１が回転してガラス球体１内の高温で滞留した空気を対流させながら、ガラス球体１の下方に取付けた放熱フィン６を介して放熱効率を向上させるようにしてある。
【００１４】  ＬＥＤチップ保持筺体２の内側の放熱フィン兼用ＬＥＤチップ保持体２１がＬＥＤチップ１０を保持しており、放熱フィン兼用ＬＥＤチップ保持体２１の間隙を通して通気性が良く、ファン取付け枠も通気性が良く形成されている。
【００１５】  従って、口金１１がソケット（図示せず）に螺着された時から、ファン３１は回転を始めており、ＬＥＤチップ保持筺体２を通過した空気は図中矢印で示すように対流が生じてガラス球体１の中で撹拌される。
【００１６】  電源導線８、９より回路基板５を介してＬＥＤチップ１０へ給電されると共に電気感応作動媒体４０へ給電され、上記の対流が生じ、放熱効果を得るものである。
【００１７】    電気感応作動媒体４０の移動流原理は電極５１の配置によって生じるものであり、電気感応作動媒体収納筺体４内の電気感応作動媒体４０は電圧を印加することによって電界間を移動する電界共役流体（Ｅｌｅｃｔｒｏ−Ｃｏｎｊｕｇａｔｅ  Ｆｌｕｉｄ）の原理を応用したものである。
【産業上の利用可能性】
【００１８】  本発明の放熱効果の高い照明用ＬＥＤ電球によれば、従来と比較して優れた放熱効果を有し、長寿命のＬＥＤ電球を提供することができる。
【符号の説明】
【００１９】  １    ガラス球体
２    ＬＥＤチップ保持筺体
２１    放熱フィン兼用ＬＥＤチップ保持体
３    ファン取付け枠
３１    ファン
４    電気感応作動媒体収納筺体
４０    電気感応作動媒体
４１    軸受
４２    回転体
４３    回転軸
５    回路基板
５１    電極
６    放熱フィン
７    筺体支持部材
８    電源導線
９    電源導線
１０    ＬＥＤチップ
１１    口金
１００  照明用ＬＥＤ電球
【図１】
2012038695.tif 000003
【図２】
2012038695.tif 000004